(57)【要約】【課題】最大遅延時間を推定するような特殊な機能を使わずに、伝送効率の劣化を回避しつつガードインターバルを適応的に制御可能なガードインターバル長適応制御方法を得ること。【解決手段】たとえば、Slave局２が共通制御信号としてのアソシエーション要求を送信し、Master局１が共通制御信号としてのランダムアクセス応答を返信し、Master局１がSlave局２に対して個別制御信号としてのアソシエーション応答を送信し、Slave局２がMaster局１に対して個別制御信号としてのアソシエーション完了を送信することとし、上記一連の処理を実行するMaster局１とSlave局２は、最初の個別制御信号の送信を、ガードインターバル長を初期値に設定して実施し、受信側において正常に受信できない場合は、受信が成功するまで、段階的にガードインターバル長を延長して個別制御信号の送信を繰り返し実行する。【選択図】        図４
2008312053.tif 000002
【特許請求の範囲】
【請求項１】
Master局と当該Master局がカバーするエリア内で通信可能なSlave局との間で、当該各Slave局に共通の設定で送受信可能な共通制御信号およびSlave局毎に固有の設定で送受信可能な個別制御信号に、それぞれガードインターバルを挿入して送受信する場合のガードインターバル長適応制御方法であって、
前記Master局が、ガードインターバル長を適応的に制御するための共通制御信号としての報知情報を定期的に送信する報知情報送信ステップと、
前記Master局との通信を希望するSlave局が前記報知情報に基づき共通制御信号としてのアソシエーション要求を送信し、その要求を受信したMaster局が共通制御信号としてのランダムアクセス応答を返信するランダムアクセスステップと、
前記Master局が、前記通信を希望するSlave局に対して識別子を付与するための個別制御信号としてアソシエーション応答を送信するアソシエーション応答送信ステップと、
前記アソシエーション応答を受信したSlave局が、前記Master局に対してアソシエーションの完了を通知するための個別制御信号としてアソシエーション完了を送信するアソシエーション完了送信ステップと、
を含み、
前記Master局と前記通信を希望するSlave局は、それぞれ最初の個別制御信号の送信を、前記報知情報に基づきガードインターバル長を初期値に設定して実施し、受信側において個別制御信号を正常に受信できない場合は、受信が成功するまで、前記報知情報に基づき段階的にガードインターバル長を延長して個別制御信号の送信を繰り返し実行することを特徴とするガードインターバル長適応制御方法。
【請求項２】
前記報知情報に、前記繰り返し実行の許容回数、個別制御信号のガードインターバル長の初期値、および前記段階的に延長するガードインターバル長のリスト、を含めることを特徴とする請求項１に記載のガードインターバル長適応制御方法。
【請求項３】
前記Master局が、前記ランダムアクセスステップにおいて受信信号の強度を測定し、その測定結果に基づいて、前記正常に受信できない場合に繰り返し送信する個別制御信号のガードインターバル長を制御することを特徴とする請求項１または２に記載のガードインターバル長適応制御方法。
【請求項４】
前記Master局が、自局およびSlave局の双方が信号を送信しないアイドル区間を用いて信号強度を測定し、その測定結果に基づいて、前記正常に受信できない場合に繰り返し送信する個別制御信号のガードインターバル長を制御することを特徴とする請求項１または２に記載のガードインターバル長適応制御方法。
【請求項５】
前記Master局が、前記正常に受信できない場合に繰り返し送信する個別制御信号の送信タイミングを変更する制御を行い、所定の繰り返し回数にわたってガードインターバル長の延長処理を実施しないことを特徴とする請求項１または２に記載のガードインターバル長適応制御方法。
【請求項６】
前記Master局が、前記正常に受信できない場合に繰り返し送信する個別制御信号の送信電力を段階的に高くする制御を行い、所定の繰り返し回数にわたってガードインターバル長の延長処理を実施しないことを特徴とする請求項１または２に記載のガードインターバル長適応制御方法。
【請求項７】
前記Master局が、前記正常に受信できない場合に繰り返し送信する個別制御信号の変調多値数を段階的に小さくする制御を行い、所定の繰り返し回数にわたってガードインターバル長の延長処理を実施しないことを特徴とする請求項１または２に記載のガードインターバル長適応制御方法。
【請求項８】
前記Master局が、前記正常に受信できない場合に繰り返し送信する個別制御信号の符号化率を段階的に小さくする制御を行い、所定の繰り返し回数にわたってガードインターバル長の延長処理を実施しないことを特徴とする請求項１または２に記載のガードインターバル長適応制御方法。
【請求項９】
Master局と当該Master局がカバーするエリア内で通信可能なSlave局が、請求項１〜８のいずれか一つに記載のガードインターバル長適応制御方法を実施することを特徴とする通信システム。
【請求項１０】
前記Master局が、複数のSlave局の個別制御信号を同一フレームにマッピングする場合、同じガードインターバル長が設定された個別制御信号をまとめて配置することを特徴とする請求項９に記載の通信システム。
【請求項１１】
Master局と当該Master局がカバーするエリア内で通信可能なSlave局との間で、当該各Slave局に共通の設定で送受信可能な共通制御信号およびSlave局毎に固有の設定で送受信可能な個別制御信号に、それぞれガードインターバルを挿入して、送受信を行う通信システムであって、
個別制御信号に挿入するガードインターバル長を、Master局との通信を希望するSlave局に個別に設定されたガードインターバル長の中の、最長のガードインターバル長にあわせることを特徴とする通信システム。
【発明の詳細な説明】
【技術分野】
【０００１】
本発明は、データ信号にガードインターバル（ＧＩ）を挿入して送受信する場合のガードインターバル長適応制御方法に関する。
【背景技術】
【０００２】
無線ＬＡＮなどで用いられているＯＦＤＭ（Orthogonal  Frequency  Division  Multiplex：直交周波数多重）方式による無線通信では、マルチパス遅延波によるシンボル間干渉を回避するために、データ信号にガードインターバルと称する信号を挿入する。このガードインターバルは、シンボル中のデータ部分の末尾が複製されてデータの先頭部分に付加されるものである。直接波と遅延波の間隔を遅延広がりと呼ぶが、この遅延広がりが大きいほどガードインターバルを長くする必要がある。ガードインターバルの長さは伝送路の状態によって異なる。
【０００３】
また、上記のようなデータ信号にガードインターバルを挿入する通信方式では、ガードインターバルの長さを短くすることによって伝送効率を向上させることができることが知られており、下記特許文献１には、その方法の一つとして、受信信号から最大遅延時間を推定する方式が開示されている。
【０００４】
また、下記特許文献２には、下記特許文献１とは異なる方式、すなわち、受信機から送信機に対して受信品質をフィードバックさせ、過剰品質の場合には送信電力を下げる処理や変調多値数を落とす処理といったリンクアダプテーション機能によりガードインターバルを短くするという方式が開示されている。
【０００５】
【特許文献１】特開２００２−３７４２２３号公報
【特許文献２】特開２００４−３７２８５６号公報
【発明の開示】
【発明が解決しようとする課題】
【０００６】
しかしながら、上記特許文献１の方式では、最大遅延時間を推定するために、マルチパスを検出するための特殊な信号を付加する必要があるだけでなく、マルチパスを検出するための特殊な回路を実装する必要がある。すなわち、最大遅延時間を推定するような特殊な機能を持たせることにより、伝送効率の劣化、回路規模の増大および消費電力の増加等の問題があった。
【０００７】
また、上記特許文献２の方式では、フィードバック情報を送信するため伝送効率が劣化する、という問題があった。
【０００８】
本発明は、上記に鑑みてなされたものであって、最大遅延時間を推定するような特殊な機能を使わずに、伝送効率の劣化を回避しつつガードインターバルを適応的に制御可能なガードインターバル長適応制御方法を得ることを目的とする。
【課題を解決するための手段】
【０００９】
上述した課題を解決し、目的を達成するために、本発明にかかるガードインターバル長適応制御方法は、Master局と当該Master局がカバーするエリア内で通信可能なSlave局との間で、当該各Slave局に共通の設定で送受信可能な共通制御信号およびSlave局毎に固有の設定で送受信可能な個別制御信号に、それぞれガードインターバルを挿入して送受信する場合のガードインターバル長適応制御方法であって、前記Master局が、ガードインターバル長を適応的に制御するための共通制御信号としての報知情報を定期的に送信する報知情報送信ステップと、前記Master局との通信を希望するSlave局が前記報知情報に基づき共通制御信号としてのアソシエーション要求を送信し、その要求を受信したMaster局が共通制御信号としてのランダムアクセス応答を返信するランダムアクセスステップと、前記Master局が、前記通信を希望するSlave局に対して識別子を付与するための個別制御信号としてアソシエーション応答を送信するアソシエーション応答送信ステップと、前記アソシエーション応答を受信したSlave局が、前記Master局に対してアソシエーションの完了を通知するための個別制御信号としてアソシエーション完了を送信するアソシエーション完了送信ステップと、を含み、前記Master局と前記通信を希望するSlave局は、それぞれ最初の個別制御信号の送信を、前記報知情報に基づきガードインターバル長を初期値に設定して実施し、受信側において個別制御信号を正常に受信できない場合は、受信が成功するまで、前記報知情報に基づき段階的にガードインターバル長を延長して個別制御信号の送信を繰り返し実行することを特徴とする。
【発明の効果】
【００１０】
この発明によれば、最大遅延時間を推定するような特殊な機能を使わずに、伝送効率の劣化を回避しつつガードインターバルを適応的に制御することが可能となる、という効果を奏する。
【発明を実施するための最良の形態】
【００１１】
以下に、本発明にかかるガードインターバル（以降ＧＩと記載する）長適応制御方法の実施の形態を図面に基づいて詳細に説明する。なお、この実施の形態によりこの発明が限定されるものではない。また、下記の各実施の形態は、有線通信および無線通信に適用可能であり、特に、電力線通信（ＰＬＣ）に適用可能である。
【００１２】
実施の形態１．
図１は、本発明にかかるＧＩ長適応制御方法を実現するための通信システムに含まれるMaster局とSlave局の構成例を示す図である。図１のMaster局１は、制御部１１と、上りの制御信号を受信する受信部１２と、下りの制御信号を送信する送信部１３を備え、複数のSlave局と通信可能な構成とする。また、Slave局２は、制御部２１と、上りの制御信号を送信する送信部２２と、下りの制御信号を受信する受信部２３を備えている。
【００１３】
図２は、Master局１とSlave局２との間の基本的な制御シーケンスを示す図である。Master局１は、定期的に制御信号として報知情報を送信している（ステップＳ１）。また、Master局１との１対１の通信を希望するSlave局（たとえば、Slave局２）は、その報知情報を受信し、Master局１との１対１通信に必要な情報を取得する（ステップＳ１）。
【００１４】
その後、Slave局２は、Master局１に１対１通信を開始したいことを示す制御信号として、ランダムアクセスでアソシエーション要求を送信する（ステップＳ２）。このアソシエーション要求は、ランダムアクセスで送信されるため、他のSlave局と送信タイミングが重なった場合、Master局１で正常に受信できない場合がある。そのため、Master局１では、このアソシエーション要求を正常に受信できたかどうかを示す制御信号として、ランダムアクセス応答を送信する（ステップＳ３）。Slave局２は、このランダムアクセス応答を受信することで、アソシエーション要求が正常に受信されたかどうかを知ることができる。
【００１５】
また、Master局１では、アソシエーション要求を正常に受信できた場合は、Slave局２と１対１通信を開始するために、Slave局２に識別子を付与する必要がある。ここでは、識別子を付与するための制御信号として、アソシエーション応答をSlave局２に対して送信する（ステップＳ４）。
【００１６】
そして、Slave局２では、アソシエーション応答を正常に受信できた場合に、正しく受信できたことを示す制御信号として、アソシエーション完了をMaster局１に対して送信する（ステップＳ５）。これら一連の処理によって、Master局１とSlave局２との間で１対１通信が可能となる。以降、これら一連の手続きをアソシエーション処理と呼ぶこととする。
【００１７】
なお、上記アソシエーション処理で、報知情報とアソシエーション要求とランダムアクセス応答は、Master局１がカバーするエリア内で通信可能となる共通の設定で送受信する必要がある。このような制御信号を共通制御信号と呼ぶ。一方、アソシエーション応答とアソシエーション完了は、通信するSlaveが特定されているので、そのSlaveに固有の設定で送受信する。このような制御信号を個別制御信号と呼ぶ。
【００１８】
図３は、Slave局２とMaster局１との間の通信をＴＤＭＡ／ＴＤＤ（Time  Division  Multiple  Access/Time  Division  Duplex）で実現する場合のフレーム構成例を示す図である。図示のDownlinkはMaster局１からSlave局２への信号を送信する時間であり、UplinkはSlave局２からMaster局１への信号を送信する時間である。このとき、Master局１は、ＢＣＨを使って報知情報を送信し、ＡＣＨを使ってランダムアクセス応答を送信する。また、Master局１とSlave局２の１対１通信であるアソシエーション応答とアソシエーション完了は、それぞれＳＣＨ／ＬＣＨで行われ、その送受信タイミングは、Master局１により決定される。Master局１では、ＦＣＨで送信する制御信号として、上記で決定された送受信タイミングをSlave局２に通知する。
【００１９】
本実施の形態のMaster局１は、カバーするエリア内で通信可能となる共通制御信号を送信する場合には、ＧＩ長を最も長く設定して送信し、通信するSlave局が特定されている個別制御信号を送信する場合（一例としてSlave局２が特定されている場合）には、ＧＩ長を最も短く設定して送信する。そして、１対１通信を開始するSlave局２にとって、上記で設定した個別制御信号のＧＩ長が短すぎる場合には、図１のシーケンスが完了しないので、Master局１では、個別制御信号のＧＩ長を所定長だけ段階的に長くしていく。これにより、Slave局２にとって適切なＧＩ長で図１のシーケンスを完了させることができる。Master局１では、以降、図１のシーケンスが完了したときのＧＩ長を使ってSlave局２との１対１通信を行うため、通信可能な最短のＧＩ長で１対１通信を実現することができる。
【００２０】
図４は、Master局１とSlave局２が１対１通信を行う場合の、本実施の形態のＧＩ長適応制御シーケンスの一例を示す図である。ステップＳ１〜Ｓ３では、Master局１は、上記のように、ＧＩ長を最も長く設定して共通制御信号の送受信を行う。そして、ステップＳ１〜Ｓ３を実行後、最初のアソシエーション応答，アソシエーション完了のやり取りは、ＧＩ長を最短に設定して実施する（ステップＳ４，Ｓ５）。その後、Slave局２にとってＧＩ長が短すぎて制御シーケンスを正常終了できない場合、Master局１は、成功するまで、所定長ずつ段階的にＧＩ長を長く設定して、アソシエーション応答，アソシエーション完了のやり取りを行う（ステップＳ４´，Ｓ５´）。なお、図４は、一例として、一度のリトライで適切なＧＩ長が設定された場合が示されている。
【００２１】
つづいて、上記ＧＩ長適応制御シーケンスにおけるMaster局１とSlave局２の詳細動作を説明する。
【００２２】
図５は、Master局１の処理フローを示す図である。なお、前提として、Master局１は、ＧＩ長制御情報を含む報知情報を、自局がカバーするエリアに報知している（図４のステップＳ１に相当）。ＧＩ長制御情報には、たとえば、アソシエーション処理リトライ回数，個別制御信号ＧＩ長初期値，個別制御信号ＧＩ長リストが含まれる。アソシエーション処理リトライ回数は、アソシエーション処理におけるステップＳ４およびステップＳ５を何回リトライすることを許容するかを示す。また、個別制御信号ＧＩ長初期値は、個別制御信号のＧＩ長の初期値（最短のＧＩ長）を示す。Master局１およびこのMaster局１と通信を行うSlave局は、アソシエーション処理ではじめて送信する個別制御信号についてはこの初期値で示されたＧＩ長で送受信を行う。また、個別制御信号ＧＩ長リストは、アソシエーション処理で適用可能なＧＩ長のリストを示す。
【００２３】
また、上記では、次のＧＩ長を決定するにあたり個別制御信号ＧＩ長リストを報知することとしたが、たとえば、ＧＩ長をどれだけ長くするかを示す情報として数式を定義し、その数式に代入するパラメータを報知することとしてもよいし、また、このリストはMaster局，Slave局で既知であることとしてもよい。また、アソシエーション処理リトライ回数や個別制御信号ＧＩ長初期値についても、Master局，Slave局で既知であることとしてもよい。
【００２４】
また、現在使うべき個別制御信号のＧＩ長は、ＦＣＨによって通知される送受信タイミング制御信号の一部として通知することとする。図６は、その一例である。送受信タイミング制御信号は、スロット番号，送受区分，Slave-ID，スロット長，ＧＩ長から構成される。スロット番号は、送受信の順番を示す。送受区分は、スロット番号がMaster局からSlave局への送信か（ＤＬと表記）、Slave局からMaster局への送信か（ＵＬと表記）を示す。Slave-IDは、スロット番号がどのSlave局に対応するかを示す。スロット長は、スロット番号における送受信時間長（たとえば、シンボル長に相当）を示す。ＧＩ長は、スロット番号におけるＧＩ長を示す。ただし、各スロット番号におけるＧＩ長を指定できればよく、このフォーマットに限定されるものではない。
【００２５】
上記前提となる処理をふまえて、Master局１では、まず、ＲＣＨを受信すると（ステップＳ１１）、ＲＣＨで受信したメッセージの誤りの有無を確認し（ステップＳ１２）、正常受信の場合にはランダムアクセスの成否を示すため、次フレームのＡＣＨにてランダムアクセス応答を送信する（ステップＳ１３）。
【００２６】
また、ＲＣＨで受信したメッセージがSlave局２からのアソシエーション要求であり、それを正常に受信している場合、Master局１では、Slave局２に識別子を付与するためのアソシエーション応答を生成する。そして、アソシエーション応答を送信するタイミングを決定し（ステップＳ１４）、そのタイミングを通知するための制御信号を生成してＦＣＨで送信する。その後、Master局１では、Slave局２に報知している個別制御信号ＧＩ長初期値を使ってＳＣＨ／ＬＣＨでアソシエーション応答を送信する（ステップＳ１５）。なお、このとき、失敗カウンタをリセットして“０”とする。
【００２７】
また、Master局１は、Slave局２がアソシエーション完了を送信するタイミングを決定し（ステップＳ１６）、そのタイミングを通知するための制御信号を生成してＦＣＨで送信する。
【００２８】
つぎに、Master局１は、アソシエーション完了を正常に受信した場合（ステップＳ１７、ステップＳ１８，Ｙｅｓ）、１対１通信可能状態となり、そのまま処理を終わらせる。一方で、アソシエーション完了に誤りがあり正常に受信できなかった場合（受信信号が検知できなかった場合も含む：ステップＳ１７、ステップＳ１８，Ｎｏ）、Master局１は、失敗カウンタをカウントアップする（ステップＳ１９）。そして、失敗カウンタ値がアソシエーション処理リトライ回数を超えていなければ（ステップＳ２０，Ｎｏ）、個別制御信号ＧＩ長リストに従い所定長だけＧＩ長を長くして（ステップＳ２１）、再度アソシエーション応答を送信するためにステップＳ１４以降の処理を実行する。ただし、ステップＳ２０の処理で失敗カウンタ値がアソシエーション処理リトライ回数を超えている場合（ステップＳ２０，Ｙｅｓ）、Master局１は、アソシエーション応答の再送をあきらめ、アソシエーション処理を中止する。
【００２９】
図７は、Slave局２の処理フローを示す図である。Slave局２は、Master局１からの報知情報を受信すると、ＲＣＨを使ってアソシエーション要求を送信し（ステップＳ３１）、次フレームのＡＣＨで送信されるランダムアクセス応答を待つ。そして、ランダムアクセス応答を受信し（ステップＳ３２）、アソシエーション要求が正常に受信されたことを認識すると、Slave局２は、報知情報から取得した個別制御信号ＧＩ長初期値を使ってアソシエーション応答が送信されてくるのを待つ。なお、このとき、失敗カウンタをリセットして“０”とする。
【００３０】
アソシエーション応答が送信されてくるのを待つ間、Slave局２は、毎フレームＦＣＨを受信し、ＦＣＨにてアソシエーション応答が送信されるタイミングが通知されたにもかかわらず、アソシエーション応答が受信誤りになってしまった場合（ステップＳ３３、ステップＳ３４，Ｎｏ）、失敗カウンタをカウントアップする（ステップＳ３５）。そして、失敗カウンタ値がアソシエーション処理リトライ回数を超えていなければ（ステップＳ３６，Ｎｏ）、個別制御信号ＧＩ長リストに従い所定長だけＧＩ長を長くして（ステップＳ３７）、再度アソシエーション応答が送信されるのを待つ。一方で、ステップＳ３６の処理で失敗カウンタ値がアソシエーション処理リトライ回数を超えている場合（ステップＳ３６，Ｙｅｓ）、Slave局２は、アソシエーション応答の受信をあきらめ、アソシエーション処理を中止する。
【００３１】
また、ステップＳ３４の処理でアソシエーション応答が正常に受信できた場合（ステップＳ３４，Ｙｅｓ）、Slave局２は、毎フレームのＦＣＨの受信でアソシエーション完了の送信タイミングを確認し、そのタイミングでアソシエーション完了を送信する（ステップＳ３８）。ただし、その後、アソシエーション応答がMaster局１から再送されてきた場合は、Master局１から指定された送信タイミングで、再度アソシエーション完了を送信することとする。
【００３２】
このように、本実施の形態では、最初に、個別制御信号には共通制御信号よりも短いＧＩを設定し、上記ＧＩ長適応制御シーケンスが正常完了し最適な個別制御信号が設定されるまで、個別制御信号のＧＩ長を段階的に長くしていくこととした。これにより、最大遅延時間を推定するような特殊な機能を使わずに、伝送効率の劣化を回避しつつガードインターバルを適応的に制御することが可能となる。また、上記ＧＩ長適応制御シーケンスを用いてＧＩを決定するため、従来技術に示すような余分なフィードバック情報を必要としない。
【００３３】
なお、個別制御信号の受信誤りは、ＧＩ長を超える遅延波が存在していることのみが原因となるわけではない。たとえば、Master局１とSlave局２の距離が離れており、信号強度が弱い場合についても受信誤りは発生する。そこで、本実施の形態では、Master局１が、アソシエーション要求受信時に、受信信号強度（ＲＳＳＩ：Received  Signal  Strength  Indicator）を測定し、その測定結果が特定のしきい値よりも低い場合にはSlave局２との距離が離れているために誤りが発生しやすいと判断し、ステップＳ２１のＧＩ長延長処理を実施しないこととしてもよい。または、個別制御信号ＧＩ長リストを複数用意しておき、ＲＳＳＩが低い場合には、Master局１が、図８に示すように、ＧＩ長をＲＳＳＩが高い場合よりもゆっくり長くしていくこととしてもよい。
【００３４】
また、個別制御信号の受信誤りは、何らかの原因で雑音電力密度が上がった場合や、同一チャネル間干渉が発生している場合等にも発生する可能性がある。そこで、本実施の形態では、図９に示すように、フレーム中にMaster局１とSlave局２の双方が送信しないアイドル区間を用意することとしてもよい。この場合、Master局１が、その区間でＲＳＳＩを測定し、その測定結果が特定のしきい値よりも高い場合には、雑音電力密度があがっている、または、同一チャネル間干渉が発生している、と判断して、ステップＳ２１のＧＩ長延長処理を実施しないこととする。または、個別制御信号ＧＩ長リストを複数用意しておき、ＲＳＳＩが高い場合には、Master局１が、図８とは逆に、ＧＩ長をＲＳＳＩが低い場合よりもゆっくり長くしていくこととしてもよい。ただし、アイドルスロットの長さは可変とし、ＦＣＨで通知することとする。
【００３５】
また、同一チャネル間干渉により個別制御信号の受信誤りが発生した場合には、Master局１は、再送時にステップＳ１４およびＳ１６にてスロット位置を変更し、Ｎ回にわたって受信を失敗するまでＧＩ長延長処理をスキップし、それでも失敗した場合にＧＩ長延長処理を実施することとしてもよい。
【００３６】
また、雑音電力密度の上昇や同一チャネル間干渉により個別制御信号の受信誤りが発生した場合には、Master局１は、アソシエーション応答を再送する毎に段階的に送信電力を高くしていき、Ｎ回にわたって受信を失敗するまでＧＩ長延長処理をスキップし、それでも失敗した場合にＧＩ長延長処理を実施することとしてもよい。同様に、Slave局２は、アソシエーション完了の再送毎に段階的に送信電力を高くしていき、Ｎ回にわたって失敗するまでＧＩ長延長処理をスキップし、それでも失敗した場合にＧＩ長延長処理を実施することとしてもよい。
【００３７】
また、雑音電力密度の上昇や同一チャネル間干渉により個別制御信号の受信誤りが発生した場合には、Master局１は、アソシエーション応答を再送する毎に段階的に変調多値数を小さくしていき（一例としてＱＰＳＫ→ＢＰＳＫ）、Ｎ回にわたって受信を失敗するまでＧＩ長延長処理をスキップし、それでも失敗した場合にＧＩ長延長処理を実施することとしてもよい。同様に、Slave局２は、アソシエーション完了の再送毎に段階的に変調多値数を小さくしていき、Ｎ回にわたって失敗するまでＧＩ長延長処理をスキップし、それでも失敗した場合にＧＩ長延長処理を実施することとしてもよい。
【００３８】
また、雑音電力密度の上昇や同一チャネル間干渉により個別制御信号の受信誤りが発生した場合には、Master局１は、アソシエーション応答を再送する毎に段階的に符号化率を小さくしていき（一例として１／２→１／３）、Ｎ回にわたって受信を失敗するまでＧＩ長延長処理をスキップし、それでも失敗した場合にＧＩ長延長処理を実施することとしてもよい。同様に、Slave局２は、アソシエーション完了の再送毎に段階的に符号化率を小さくしていき、Ｎ回にわたって失敗するまでＧＩ長延長処理をスキップし、それでも失敗した場合にＧＩ長延長処理を実施することとしてもよい。
【００３９】
また、本実施の形態は、ＧＩを付与して遅延波を等化する通信システム、たとえば、「Power  Line  Communication，802.16e，3GPP  Evolved  UTRA」に適用可能である。
【００４０】
実施の形態２．
前述した実施の形態１では、図６に示すように、各Slave局における送受信タイミングをスロット長（たとえばシンボル数）で指定している。また、図１０に示すように、ＧＩ長が異なると、同じシンボル数でもスロットの長さが異なることになる。そのため、異なるSlave局の個別制御信号が同一フレームにマッピングされる場合、各Slave局のＧＩが異なると、送受信タイミングの算出が複雑になる可能性がある。
【００４１】
そこで、本実施の形態では、異なるSlave局の個別制御信号を同一フレームにマッピングする場合に、図１１に示すように、同じＧＩ長を持つSlave局を並べることとする。図１１の上側の例では、ＧＩ長を揃えないでスロットを配置しているため、スロットの切れ目で毎回送受信タイミングを算出する必要がある。しかしながら、図１１の下側の例では、ＧＩ長を揃えてスロットを配置しているため、ＧＩ長が変わるスロットで送受信タイミングを算出すればよく、上側の例と比較して計算量を削減することができる。なお、上記以外の処理は、前述した実施の形態１と同様である。
【００４２】
実施の形態３．
前述した実施の形態１，２では、図４に示す制御シーケンスで個々のSlave局の個別制御信号のＧＩ長を変えるため、送受信タイミングの算出が複雑になる可能性がある。
【００４３】
そこで、本実施の形態では、図１２に示すように、個別制御信号のＧＩ長をSlave局の最悪値（最長のＧＩ長）にあわせることとする。たとえば、図４では、アソシエーション要求から始まる一連の制御シーケンスにおいて徐々に個別制御信号のＧＩ長を延長していくこととしたが、図１２では、たとえば、図２に示す制御シーケンスを実施して現状のＧＩ長で正常受信ができない場合、すでに接続しているすべてのSlave局の個別制御信号のＧＩ長を延長する。これにより、各Slave局のＧＩ長を揃えることができるので、個別制御信号の送受信タイミングの算出を簡単にすることができる。
【００４４】
たとえば、ＧＩ長変更通知はＧＩ長の変更を各Slave局に個別に通知するメッセージであり、このメッセージを受信すると、各Slave局は、それぞれＧＩ長変更通知受領通知を返信し、ＧＩ長変更通知で指定された遅延時間だけ待機し、ＧＩ長を現状よりも延長して再度アソシエーション要求を送信する。
【００４５】
待機の開始タイミングを統一するため、Master局は、一度ＢＣＨを停波し、各Slave局の同期をはずし、ＧＩ長を現状よりも延長してＢＣＨの送信を再開し、各Slave局の同期が確立したタイミングを待機の起点とする。また、ＢＣＨでは最新のＧＩ長を報知する。このとき、アソシエーション要求に失敗したSlave局から再度アソシエーション要求が開始できるように、ＧＩ長変更通知を行う場合には十分な遅延時間を設定する。そして、このSlave局による再度のアソシエーション要求において、アソシエーションが完了するまでＧＩ長を延長する。
【００４６】
また、本実施の形態では、アソシエーション要求に失敗してＧＩ長変更のトリガーとなったSlave局を覚えておくこととしてもよい。たとえば、このSlave局が何らかの要因でMaster局と通信しなくなった場合には、図１２の手順を応用し、ＧＩ長を短くすることが可能となる。具体的に言うと、ＢＣＨで報知するＧＩ長を短くすることができる。また、アソシエーション要求に失敗したSlave局がいない場合は、ＧＩ長変更通知の際に上記ほど大きな遅延時間を設定する必要はない。
【産業上の利用可能性】
【００４７】
以上のように、本発明にかかるガードインターバル長適応制御方法は、データ信号にガードインターバルを挿入して送受信を行う無線通信および有線通信に有用であり、特に、最大遅延時間を推定するような特殊な機能を使わずに、ガードインターバルを適応的に制御する通信に適している。
【図面の簡単な説明】
【００４８】
【図１】本発明にかかるＧＩ長適応制御方法を実現するための通信システムの構成例を示す図である。
【図２】Master局とSlave局との間の基本的な制御シーケンスを示す図である。
【図３】Slave局とMaster局との間の通信をＴＤＭＡ／ＴＤＤで実現する場合のフレーム構成例を示す図である。
【図４】本実施の形態のＧＩ長適応制御シーケンスの一例を示す図である。
【図５】Master局の処理フローを示す図である。
【図６】ＦＣＨによって通知される制御信号の一例を示す図である。
【図７】Slave局の処理フローを示す図である。
【図８】個別制御信号ＧＩ長リストの一例を示す図である。
【図９】フレーム構成例を示す図である。
【図１０】ＧＩ長が長い場合と短い場合のスロット長の一例を示す図である。
【図１１】実施の形態２の処理を示す図である。
【図１２】実施の形態３の処理を示す図である。
【符号の説明】
【００４９】
１  Master局
２  Slave局
【図１】
2008312053.tif 000003
【図２】
2008312053.tif 000004
【図３】
2008312053.tif 000005
【図４】
2008312053.tif 000006
【図５】
2008312053.tif 000007
【図６】
2008312053.tif 000008
【図７】
2008312053.tif 000009
【図８】
2008312053.tif 000010
【図９】
2008312053.tif 000011
【図１０】
2008312053.tif 000012
【図１１】
2008312053.tif 000013
【図１２】
2008312053.tif 000014